(57)【要約】【課題】操作部主従の判別を容易にして、違和感なく操作方向の選択が可能となるレバーハンドルを提供し、もって、特にユニバーサルデザインやラッチグレモン錠においての操作性向上を図ることを目的とする。【解決手段】扉面１１ａに垂直なレバー軸部１９に対して扉面１１ａに平行に設けられ、扉の開閉時に回転操作が行われるレバーハンドル１００であって、レバー軸部１９に基端２１ａが接続されて直線状に延在する主レバー部２１と、主レバー部２１の延在方向中央位置とレバー軸部１９との間の主レバー部２１に基端２３ａが接続されて主レバー部２１に対して直交方向に延在する副レバー部２３とを具備してなる。レバーハンドル１００は、非操作状態で主レバー部２１先端が吊元方向ａに向かって水平に配置されるとともに、副レバー部２３先端が垂直上方向ｂに向かって配置されることが好ましい。【選択図】      図１
2008127841.tif 000002
【特許請求の範囲】
【請求項１】
扉面に垂直なレバー軸部に対して前記扉面に平行に設けられ、扉の開閉時に回転操作が行われるレバーハンドルであって、
前記レバー軸部に基端が接続されて直線状に延在する主レバー部と、
該主レバー部の延在方向中央位置と前記レバー軸部との間の該主レバー部に基端が接続されて該主レバー部に対して略直交方向に延在する副レバー部と、
を具備したことを特徴とするレバーハンドル。
【請求項２】
非操作状態で前記主レバー部の先端が吊元方向に向かって略水平に配置されるとともに、前記副レバー部の先端が略垂直上方向に向かって配置されることを特徴とする請求項１記載のレバーハンドル。
【請求項３】
非操作状態で前記主レバー部の先端が略垂直下方向に向かって配置されるとともに、前記副レバー部の先端が吊元方向に向かって略水平に配置されることを特徴とする請求項１記載のレバーハンドル。
【請求項４】
前記レバー軸部から前記主レバー部の先端までの長さと、前記主レバー部から前記副レバー部の先端までの長さが同一であることを特徴とする請求項１，２，３のいずれか１つに記載のレバーハンドル。
【請求項５】
前記副レバー部の基端から前記主レバー部の先端までの長さと、前記主レバー部から前記副レバー部の先端までの長さが同一であることを特徴とする請求項１，２，３のいずれか１つに記載のレバーハンドル。
【発明の詳細な説明】
【技術分野】
【０００１】
本発明は、扉の開閉操作時や、或いは施解錠操作に用いられるレバーハンドルに関し、特に、ユニバーサルデザイン対応での操作性を高める改良技術に関し、例えばラッチグレモン錠に用いて好適なものである。
【背景技術】
【０００２】
レバーハンドルは、操作する者が握り持つ部分が通常水平で、先端が吊元方向に延出しており、下方向に揺動（回転）させることでラッチを外すなどの開閉操作に使われる。また、垂直なレバーハンドルもあり、この場合は、先端が垂下方向に延出され、吊り扉では吊元方向に揺動（回転）させることで開閉操作が行われる。このようなレバーハンドルは、簡易形状が特徴の所謂握り玉形状のノブとは対照に、近年、ユニバーサルデザインとされ、握力のない子供、高齢者、障害者などによってもドア開閉の操作を容易に行えるものが推奨されている。そして、一般的に、ユニバーサルデザインでは、上記操作対象者を考慮することから、レバーハンドルの取付位置を低くする、すなわち床面からの高さを抑える傾向にある。
【特許文献１】特開平１１−２１０２９１号公報
【特許文献２】意匠登録１１４４９６７号公報
【特許文献３】意匠登録１１９５７７１号公報
【発明の開示】
【発明が解決しようとする課題】
【０００３】
しかしながら、必ずしも、水平や垂直などの一方向が好ましいとは言えず、操作者によっては、水平なレバーが操作しづらい、或いは、垂直なレバーが操作しづらいこともある。また、レバーハンドルの取付位置が上記の事情等によって低い場合には、背の高い者が操作しづらいこともある。さらに、レバーハンドルは、錠前とレバーハンドルとを組み合わせた所謂ラッチグレモン錠に採用されることもある（例えば特許文献１参照）。この種のラッチグレモン錠は、開扉時はレバーを下げる方向であるが、閉扉からの施錠時には一度レバーハンドルを上方へ操作し、その後施錠する動作が必要となる。この場合、通常のレバーハンドルでは上方へ持ち上げる操作がやりづらいとの声があった。
【０００４】
また、ラッチグレモン錠の操作時に、レバーハンドルを上から握って下へ揺動し、通常通りラッチを後退させて閉扉した後、今度はレバーハンドルを下から握るように持ち直して上方へ揺動すれば、レバーハンドルを上から下へ１８０°持ち替える煩雑な操作が必要となり、操作容易なレバーハンドルの改良が望まれていた。これに対し、特許文献２，３にはＬ字形やＹ字形のレバーハンドルが提案され、これらのレバーハンドルでは複数方向からの操作が選択可能となるが、同形状のレバーがレバー軸部を中心に対称配置されるため、主従が分からなくなる違和感があり、混乱が生じてかえって操作しづらくなることも想定された。
【０００５】
本発明は上記状況に鑑みてなされたもので、操作部主従の判別を容易にして、違和感なく操作方向の選択が可能となるレバーハンドルを提供し、もって、特にユニバーサルデザインやラッチグレモン錠においての操作性向上を図ることを目的とする。
【課題を解決するための手段】
【０００６】
次に、上記の課題を解決するための手段を、実施の形態に対応する図面を参照して説明する。
本発明の請求項１記載のレバーハンドルは、扉面１１ａに垂直なレバー軸部１９に対して前記扉面１１ａに平行に設けられ、扉１１の開閉時に回転操作が行われるレバーハンドル１００であって、
前記レバー軸部１９に基端２１ａが接続されて直線状に延在する主レバー部２１と、
該主レバー部２１の延在方向中央位置と前記レバー軸部１９との間の該主レバー部２１に基端２３ａが接続されて該主レバー部２１に対して直交方向に延在する副レバー部２３と、
を具備したことを特徴とする。
【０００７】
このレバーハンドルでは、主レバー部２１に副レバー部２３が直交方向に延設されることで、水平把持部分のみではなく、垂直把持部分も備えられることとなる。また、中途から延出する副レバー部２３によって、レバー軸部１９から延びている一方が主レバー部２１で、中途から延びている他方が副レバー部２３であることが違和感なく直感的に把握される。さらに、２方向の操作が必要なラッチグレモン錠に適用された場合には、主レバー部２１と副レバー部２３との間に手が位置することとなり、その操作時の持ち替え、握り直しなどを容易に可能としている。
【０００８】
請求項２記載のレバーハンドルは、非操作状態で前記主レバー部２１の先端２１ｂが吊元方向ａに向かって略水平に配置されるとともに、前記副レバー部２３の先端２３ｂが略垂直上方向ｂに向かって配置されることを特徴とする。
【０００９】
このレバーハンドルでは、略水平に配置される主レバー部２１と、略垂直上方向ｂに向かって配置される副レバー部２３とが、操作する人にとっての使いやすい、すなわち握り易いいずれかのレバー部を使用すれば良くなり、例えば平均的な身長の人と身長の高い人とによって使い分け可能となる。
【００１０】
請求項３記載のレバーハンドルは、非操作状態で前記主レバー部２１の先端１２ｂが略垂直下方向ｃに向かって配置されるとともに、前記副レバー部２３の先端２３ｂが吊元方向ａに向かって略水平に配置されることを特徴とする。
【００１１】
このレバーハンドルでは、略垂直下方向ｃに向かって配置される主レバー部２１と、略水平配置される副レバー部２３とが、操作する人にとっての使いやすい、すなわち握り易いいずれかのレバー部を使用すれば良くなり、例えば平均的な身長の人と身長の高い人とによって使い分け可能となる。
【００１２】
請求項４記載のレバーハンドルは、前記レバー軸部１９から前記主レバー部２１の先端２１ｂまでの長さＬ１と、前記主レバー部２１から前記副レバー部２３の先端２３ａまでの長さＬ２が同一であることを特徴とする。
【００１３】
このレバーハンドルでは、主レバー部２１の有効操作長より、副レバー部２３の有効操作長が長くなる。すなわち、操作のしづらい副レバー部２３の操作性が高められる。
【００１４】
請求項５記載のレバーハンドルは、前記副レバー部２３の基端２３ａから前記主レバー部２１の先端２１ｂまでの長さＬ３と、前記副レバー部２３の基端２３ａから該副レバー部２３の先端２３ｂまでの長さＬ２が同一であることを特徴とする。
【００１５】
このレバーハンドルでは、主レバー部２１と副レバー部２３との有効操作長が等しくなる。したがって、主レバー部２１の途中に副レバー部２３が延設されても、主レバー部２１の有効操作長が短くなることがない。
【発明の効果】
【００１６】
本発明に係る請求項１記載のレバーハンドルによれば、レバー軸部に基端が接続されて直線状に延在する主レバー部と、この主レバー部の延在方向中央位置とレバー軸部との間の主レバー部に基端が接続されて主レバー部に対して直交方向に延在する副レバー部とを具備したので、水平把持部分のみではなく、垂直把持部分も備えることとなる。これにより、操作方向の選択が可能となり、水平把持部分のみでは操作しづらい者であっても、操作が容易となる。また、中途から延出する副レバー部によって、レバー軸部から延びている一方が主レバー部で、中途から延びている他方が副レバー部であることが違和感なく直感的に把握でき、混乱が生じ難くなって、どちらを先に握る（操作対象）か、また、回転方向がどちらであるかが分かり易くなる。さらに、２方向の操作が必要なラッチグレモン錠に適用された場合には、主レバー部と副レバー部との間に手が位置するので、握り直しの手間が少なくなり、操作方向の切り換え（回転方向の変更）を容易にすることができる。これにより、特にユニバーサルデザインやラッチグレモン錠においても操作性を向上させることができる。
【００１７】
請求項２記載のレバーハンドルによれば、非操作状態で主レバー部が吊元方向に向かって水平に配置されるとともに、副レバー部が垂直上方向に向かって配置されるので、操作する人にとっての使いやすい、すなわち握り易いいずれかのレバー部を使用すれば良くなり、例えば、水平な主レバー部によって子供や平均的な身長の人の操作が容易となり、垂直上方向の副レバー部によって身長の高い人の操作が容易となるなどの使い分けが違和感なく行われることとなる。
【００１８】
請求項３記載のレバーハンドルによれば、非操作状態で主レバー部が垂直下方向に向かって配置されるとともに、副レバー部が吊元方向に向かって水平に配置されるので、操作する人にとっての使いやすい、すなわち握り易いいずれかのレバー部を使用すれば良くなり、例えば、垂直下方向の主レバー部によって子供や平均的な身長の人の操作が容易となり、水平な副レバー部によって身長の高い人の操作が容易となるなどの使い分けが違和感なく行われることとなる。
【００１９】
請求項４記載のレバーハンドルによれば、レバー軸部から主レバー部の先端までの長さと、主レバー部から副レバー部の先端までの長さが同一であるので、有効操作長は、副レバー部の方が長くなり、比較的操作の容易な主レバー部による垂下方向の揺動より、操作し易くしたい副レバー部による水平方向の揺動が容易となる。
【００２０】
請求項５記載のレバーハンドルによれば、副レバー部の基端から主レバー部の先端までの長さと、副レバー部の基端から副レバー部の先端までの長さが同一であるので、主レバー部と副レバー部との有効操作長が等しくなり、副レバー部が途中から延出されていても、主レバー部の有効操作長が短くなることがない。
【発明を実施するための最良の形態】
【００２１】
以下、本発明に係るレバーハンドルの好適な実施の形態を図面を参照して詳細に説明する。
図１は本発明に係るレバーハンドルが取り付けられた扉の斜視図、図２は図１に示したレバーハンドルの非操作時の正面図、図３は図２に示したレバーハンドルを扉面と平行な水平方向から視た側面図である。
本実施の形態によるレバーハンドル１００は、例えばユニバーサルデザインの仕様によって比較的低い位置、すなわち床面からの高さが抑えられた位置に取り付けられる。扉１１の戸先１１ｂには扉１１に内設された錠箱のフロントパネル１３が表出し、フロントパネル１３は開口穴からラッチボルト１５を進退自在に突出させている。レバーハンドル１００は、扉面１１ａに垂直なレバー軸部１９の先端に、扉面１１ａと平行に連設される。なお、１７はレバー軸部１９の基端を覆う飾りリング、１９ａはレバー軸部１９に連結され錠箱へ操作力を入力する接続軸である。
【００２２】
レバーハンドル１００は、主レバー部２１と、副レバー部２３とからなる。主レバー部２１は、基端２１ａがレバー軸部１９に接続されて直線状に延在する。副レバー部２３は、主レバー部２１の延在方向中央位置とレバー軸部１９との間、好ましくはレバー軸部１９にやや近接した位置の主レバー部２１に基端２３ａが接続されて、主レバー部２１に対して直交方向に延在する。
【００２３】
本実施の形態では、非操作状態において、主レバー部２１は、その先端が吊元方向ａに向かって水平に配置される。また、副レバー部２３は、その先端が垂直上方向ｂに向かって配置される。つまり、副レバー部２３は、水平な主レバー部２１の上縁から垂直に起立した状態となっている。
【００２４】
また、図２，図３に示すように、本実施の形態によるレバーハンドル１００は、レバー軸部１９から主レバー部２１の先端２１ｂまでの長さＬ１と、主レバー部２１から副レバー部２３の先端２３ｂまでの長さＬ２が同一となっている。したがって、主レバー部２１の有効操作長より、副レバー部２３の有効操作長が長くなる。つまり、操作をし易くしたい副レバー部２３の操作性が高められている。このように、レバーハンドル１００では、レバー軸部１９から主レバー部２１の先端２１ｂまでの長さＬ１と、主レバー部２１から副レバー部２３の先端２３ｂまでの長さＬ２が同一であるので、有効操作長は、副レバー部２３の方が長くなり、比較的操作の容易な主レバー部２１による垂下方向ｃの揺動に対し、操作し易くしたい副レバー部２１による水平方向の揺動も容易となるように配慮されている。
【００２５】
上記のように構成されたレバーハンドルの作用を説明する。
図４は図２に示したレバーハンドルが略４５°回転された状態の正面図、図５は図２に示したレバーハンドルが略９０°回転された状態の正面図である。
レバーハンドル１００は、主レバー部２１に副レバー部２３が延設されることで、水平把持部分のみではなく、垂直把持部分も備えられることとなる。そして、中途から延出する副レバー部２３によって、レバー軸部１９から延びている一方が主レバー部２１で、中途から延びている他方が副レバー部２３であることが、すなわち補助的なレバー部であることが違和感なく直感的に把握されるようになっている。
【００２６】
レバーハンドル１００は、主レバー部２１又は副レバー部２３の一方が把持されて図２に示すｄ方向に回転操作されることで、その操作力が連結軸１９ａを介して錠箱へ入力され、ラッチボルト１５を進退させる。レバーハンドル１００は、図４に示すように、４５°回転された後にｅ方向に戻されるもの、図５に示すように、９０°回転された後にｆ方向に戻されるものの何れであっても良い。このときに、水平配置される主レバー部２１と、垂直上方向に向かって配置される副レバー部２３とが、操作する人にとっての使いやすい、すなわち握り易いいずれかのレバー部を使用すれば良くなり、例えば、平均的な身長の人と身長の高い人とによって使い分け可能となっている。
【００２７】
すなわち、水平な主レバー部２１によって例えば子供や平均的な身長の人、或いは低い位置からの操作を主にしている人の操作が容易となり、垂直上方向の副レバー部２３によって例えば身長の高い人や押し下げる方向への操作が行い難い人の操作が容易となっている。特に、図５に示した９０°の回転が必要となるレバーハンドル１００の場合、従来の主レバー部２１のみの構成では、身長の高い人とによって主レバー部２１が垂直下方向ｃまで回転操作されるため、操作しづらいものとなるが、本実施の形態による構成によれば、副レバー部２３を使用することにより、回転終了位置が水平方向までとなる、すなわち押し下げる操作が、横へ倒す操作となるので良好な操作感を得ることができる。
【００２８】
したがって、上記のレバーハンドル１００によれば、レバー軸部１９に基端２１ａが接続されて直線状に延在する主レバー部２１と、この主レバー部２１の延在方向中央位置とレバー軸部１９との間の主レバー部２１に基端２３ａが接続されて主レバー部２１に対して直交方向に延在する副レバー部２３とを具備したので、水平把持部分のみではなく、垂直把持部分も備えることとなり、操作方向の選択が可能となる。これにより、水平把持部分のみでは操作しづらい者であっても、操作が容易となる。
【００２９】
また、中途から延出する副レバー部２３によって、レバー軸部１９から延びている一方が主レバー部２１で、中途から延びている他方が副レバー部２３であることが違和感なく直感的に把握でき、混乱が生じ難くなって、どちらを先に握る（操作対象）か、また、回転方向がどちらであるかが分かり易くなる。
【００３０】
また、レバーハンドル１００が、２方向の操作、すなわち、上述したような扉１１の開閉時における主レバー２１又は副レバー２３の回転方向と、その逆方向の回転を行うことが可能となるラッチグレモン錠に適用された場合には、主レバー部２１と副レバー部２３との間に手を位置させることができる。ラッチグレモン錠の閉扉時には、左手操作の場合、上記したように、主レバー部２１が上から握られ、反時計回りで揺動され、通常通り下方向に回転し、ラッチを後退させて閉扉させる（図４，５参照）。その後は掌を図中右へ向けた状態で左方より副レバー部２３が握られ、時計回り（図中ｇ方向）に略４５°操作されることにより主レバー２１は上側へ副レバー２３は右側へ倒れるような方向に回転され、これにより係止ロッド３１（図７参照）を扉１１の上端から突出させる。これにより、従来のように、上から握った主レバー部２１を上方へ（吊り上げるような）持ち上げる操作、或いは、主レバー２１から一度手を離し主レバー２１を下から握り直す操作づらさを解消することができる。すなわち、水平な主レバー２１と垂直な副レバー２３との略９０°の範囲内に手が位置しており、掌を返すような握り直しの操作が不要であり、主レバー２１と副レバー２３との間で握り直すこととなって、その移動範囲が狭く設定できることとなる。
【００３１】
なお、上記の実施の形態では、レバー軸部１９から主レバー部２１の先端２１ｂまでの長さＬ１と、主レバー部２１から副レバー部２３の先端２３ｂまでの長さＬ２が同一である場合を例に説明したが、レバーハンドル１００は、副レバー部２３の基端２３ａから主レバー部２１の先端２１ｂまでの長さＬ３（図２参照）と、副レバー部２３の基端２３ａから副レバー部２３の先端２３ｂまでの長さＬ２を同一にして構成するものであってもよい。このような構成とすれば、主レバー部２１と副レバー部２３との有効操作長が等しくなり、副レバー部２３が途中から延出されていても、主レバー部２１の有効操作長が短くなることがない。
【００３２】
次に、本発明に係るレバーハンドルの他の実施の形態を説明する。
図７は本発明に係るレバーハンドルの他の実施の形態によるレバーハンドルが取り付けられた扉の斜視図、図８は図７に示したレバーハンドルの正面図及びレバーハンドルが略４５°上方へ回転された状態の正面図である。なお、図１〜図３に示した部材、部位と同一の部材、部位には同一の符号を付し、重複する説明は省略するものとする。
この実施の形態によるレバーハンドル１００Ａは、非操作状態で主レバー部２１が垂直下方向ｃに向かって配置されるとともに、副レバー部２３が吊元方向ａに向かって水平に配置される。
【００３３】
したがって、このレバーハンドル１００Ａでは、垂直下方向ｃに向かって配置される主レバー部２１と、水平配置される副レバー部２３とが、平均的な身長の人と身長の高い人とによって使い分け可能となる。すなわち、垂直下方向ｃの主レバー部２１によって子供や平均的な身長の人の操作が容易となり、水平な副レバー部２３によって身長の高い人の操作が容易となる。
【００３４】
また、レバーハンドル１００Ａが、２方向（ｈ方向）の操作が必要なラッチグレモン錠に適用された場合には、主レバー部２１と副レバー部２３との間に手が位置する。ラッチグレモン錠の閉扉時には、左手操作の場合、図７に示す実線の主レバー部２１が左方から握られ、反時計回りで揺動され、通常通りラッチを後退させて閉扉した後、今度は掌を上へ向けた状態で下方より副レバー部２３が握られ、時計回りに略４５°操作されることにより一点鎖線のように上側へ回転され、これにより係止ロッド３１を扉１１の上端から突出させる。これにより、従来のように、上から握った主レバー部２１を上方へ持ち上げる操作づらさを解消することができる。
【００３５】
なお、上述した各実施の形態において、レバーハンドル１００，１００Ａの各主レバー部２１，副レバー部２３の形状について、詳細な説明をしていないが、滑らかな表面の真直な棒状に形成しても良く、また、微少な凹凸を備える滑り止めを備える構成、先端側をやや太く形成する、やや湾曲形状とするなど、その他の形状として構成することとしてもよく、それぞれの握りやすさ、意匠性等を加味することとしても良い。
【図面の簡単な説明】
【００３６】
【図１】本発明に係るレバーハンドルが取り付けられた扉の斜視図である。
【図２】図１に示したレバーハンドルの非操作時の正面図である。
【図３】図２に示したレバーハンドルを扉面と平行な水平方向から視た側面図である。
【図４】図２に示したレバーハンドルが略４５°回転された状態の正面図である。
【図５】図２に示したレバーハンドルが略９０°回転された状態の正面図である。
【図６】図２に示したレバーハンドルが時計回りに略４５°回転された状態の正面図である。
【図７】本発明に係るレバーハンドルの他の実施の形態によるレバーハンドルが取り付けられた扉の斜視図である。
【図８】図７に示したレバーハンドルの正面図及びレバーハンドルが略４５°上方へ回転された状態の正面図である。
【符号の説明】
【００３７】
１１ａ…扉面
１９…レバー軸部
２１…主レバー部
２１ａ…基端
２３…副レバー部
２３ａ…基端
１００，１００Ａ…レバーハンドル
ａ…吊元方向
ｂ…垂直上方向
ｃ…垂直下方向
Ｌ１…レバー軸部から主レバー部の先端までの長さ
Ｌ２…主レバー部から副レバー部の先端までの長さ
Ｌ３…副レバー部の基端から主レバー部の先端までの長さ
【図１】
2008127841.tif 000003
【図２】
2008127841.tif 000004
【図３】
2008127841.tif 000005
【図４】
2008127841.tif 000006
【図５】
2008127841.tif 000007
【図６】
2008127841.tif 000008
【図７】
2008127841.tif 000009
【図８】
2008127841.tif 000010